(57)【要約】      （修正有）【課題】二剤を確実に混合でき、ノズルヘッドの初動操作においてもスムーズにポンプを作動させて内容物を排出できるポンプ付き二剤混合容器の提供。【解決手段】内容物を収納する主室mを形成する容器本体1と、容器本体1の上端開口kに回転不能にねじ部nを有する中間筒体2と、外筒部の内側壁とねじ部を係合させ回転により容器本体を相互に近接、離隔する向きにスライドさせるカバー体3と、ポンプ4を備え、副室を形成する突き破り可能な薄肉シート7を設けるとともに、カバー体又は容器本体の回転による相互接近で薄肉シートを突き破り副室内の他の内容物を主室へ落下、混合させる押し切り筒体8を配設する。更に主室に、主室の底壁を形成し内容物が少なくなるにしたがいその内壁に沿いポンプに向けて移動可能なスライダー1cを配置する。スライダーと容器本体の底壁との間に組込み時の初期位置で容器本体の底壁との間に後退代となるギャップgを設ける。【選択図】図１
2008030838.tif 000002
【特許請求の範囲】
【請求項１】
上端開口を有しその内部に内容物を収納する主室を形成する容器本体と、この容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させ相対的な回転により前記容器本体を相互に近接、離隔する向きにスライドさせるカバー体と、このカバー体の天板部に連結され内筒部から中間筒体にわたる領域において吊り下げ保持されたポンプと、カバー体の天板部の上面でポンプのステムにつながりその押込みと復帰動作を繰り返すことによって前記ポンプを作動させて容器本体の主室内における内容物を吸引、加圧、圧送して外界へ噴出させるノズルヘッドとを備え、
前記中間筒体の下端部開口に、ポンプを封じ込めるとともに、該ポンプのシリンダー外側壁、中間筒体の内壁及びカバー体の内筒部とによって副室を形成する突き破り可能な薄肉シートを設け、
前記副室内に、カバー体若しくは容器本体の回転に伴う相互接近にて該薄肉シートを突き破り副室内に収納した他の内容物を主室へ向けて落下、混合させる押し切り筒体を配設してなり、
前記容器本体の主室に、該主室の底壁を形成し内容物の残存量が少なくなるにしたがいその内壁に沿いポンプに向けて移動可能なスライダーを設け、
該スライダーは、組込み時の初期位置において容器本体の底壁との間で後退代を確保するギャップを有することを特徴とするポンプ付き二剤混合容器。
【請求項２】
上端開口を有する容器本体と、この容器本体の内側に配置され内容物の充填空間を形成するとともに該内容物が減るにしたがって縮減可能とする袋体と、該容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させ相対的な回転により前記容器本体を相互に近接、離隔する向きにスライドさせるカバー体と、このカバー体の天板部に連結され内筒部から中間筒体にわたる領域において吊り下げ保持されたポンプと、該カバー体の天板部の上面でポンプのステムにつながりその押込みと復帰動作を繰り返すことによって前記ポンプを作動させて容器本体の主室内における内容物を吸引、加圧、圧送して外界へ噴出させるノズルヘッドとを備え、
前記中間筒体の下端部開口と該ポンプのシリンダー外側壁との間に薄肉シートを配置してこの薄肉シートと中間筒体の内壁及びカバー体の内筒部とによって副室を形成し、
前記副室内に、カバー体若しくは容器本体の回転に伴う相互接近にて該薄肉シートを突き破り副室内に収納された他の内容物を主室へ向けて落下、混合させる押し切り筒体を配設してなり、
前記容器本体の袋体は、内容物を収納した組込み初期状態において該袋体の容積の増大を可能とする拡張代を有することを特徴とするポンプ付き二剤混合容器。
【請求項３】
前記中間筒体と前記カバー体との相互間に着脱可能に配置され、該カバー体、容器本体の相対的な回転を阻止するストッパーを有する、請求項1又は2に記載のポンプ付き二剤混合容器。
【発明の詳細な説明】
【技術分野】
【０００１】
本発明は、ポンプ付き二剤混合容器に関するものであり、内容物を使用するに際して二剤を簡単な操作でもって確実に混合しようとするものである。
【背景技術】
【０００２】
化粧料や薬剤を入れる容器としては、内容物の多様性から、主成分等を装填する主容器と補助成分等を装填する副容器をそれぞれ合体させ、内容物の注出に際して副容器内の補助成分等を主容器の主成分等に添加、混合し、その後にポンプによって混合に係わる内容物を注出する構造のものが用いられている（例えば、特許文献１参照）。
【特許文献１】特開2003−292074号公報
【０００３】
ところで、この種の容器は、混合に係わる内容物を噴出させるポンプの最初の押圧動作（初動操作）においては、ポンプの噴出経路に存在する空気の影響によって容器内が加圧され、それによる反動が起こり該ポンプをスムーズに作動させて内容物を噴出させることができない場合があってその解決が求められていた。
【発明の開示】
【発明が解決しようとする課題】
【０００４】
本発明の課題は、二剤を簡単な操作でもって混合することができ、混合に係わる内容物をポンプのスムーズな初動操作でもって噴出させることができるポンプ付き二剤混合容器を提案するところにある。
【課題を解決するための手段】
【０００５】
本発明は、上端開口を有しその内部に内容物を収納する主室を形成する容器本体と、この容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させ相対的な回転により前記容器本体を相互に近接、離隔する向きにスライドさせるカバー体と、このカバー体の天板部に連結され内筒部から中間筒体にわたる領域において吊り下げ保持されたポンプと、カバー体の天板部の上面でポンプのステムにつながりその押込みと復帰動作を繰り返すことによって前記ポンプを作動させて容器本体の主室内における内容物を吸引、加圧、圧送して外界へ噴出させるノズルヘッドとを備え、
前記中間筒体の下端部開口に、ポンプを封じ込めるとともに、該ポンプのシリンダー外側壁、中間筒体の内壁及びカバー体の内筒部とによって副室を形成する突き破り可能な薄肉シートを設け、
前記副室内に、カバー体若しくは容器本体の回転に伴う相互接近にて該薄肉シートを突き破り副室内に収納した他の内容物を主室へ向けて落下、混合させる押し切り筒体を配設してなり、
前記容器本体の主室に、該主室の底壁を形成し内容物の残存量が少なくなるにしたがいその内壁に沿いポンプに向けて移動可能なスライダーを設け、
該スライダーは、組込み時の初期位置において容器本体の底壁との間で後退代を確保するギャップを有することを特徴とするポンプ付き二剤混合容器である。
【０００６】
また、本発明は、上端開口を有する容器本体と、この容器本体の内側に配置され内容物の充填空間を形成するが該内容物が減るにしたがって縮減（容積の減少）を可能とする袋体と、該容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させ相対的な回転により前記容器本体を相互に近接、離隔する向きにスライドさせるカバー体と、このカバー体の天板部に連結され内筒部から中間筒体にわたる領域において吊り下げ保持されたポンプと、該カバー体の天板部の上面でポンプのステムにつながりその押込みと復帰動作を繰り返すことによって前記ポンプを作動させて容器本体の主室内における内容物を吸引、加圧、圧送して外界へ噴出させるノズルヘッドとを備え、
前記中間筒体の下端部開口と該ポンプのシリンダー外側壁との間に薄肉シートを配置してこの薄肉シートと中間筒体の内壁及びカバー体の内筒部とによって副室を形成し、
前記副室内に、カバー体若しくは容器本体の回転に伴う相互接近にて該薄肉シートを突き破り副室内に収納された他の内容物を主室へ向けて落下、混合させる押し切り筒体を配設してなり、
前記容器本体の袋体は、内容物を収納した組込み初期状態において該袋体の容積の増大を可能とする拡張代を有することを特徴とするポンプ付き二剤混合容器である。
【０００７】
上記の構成になるポンプ付き二剤混合容器においては、前記中間筒体と前記カバー体との相互間に着脱可能に配置され、該カバー体、容器本体の相対的な回転を阻止するストッパーを設けるのが好ましい。
【発明の効果】
【０００８】
容器本体とカバー体とを相互に近接する向きに相対回転させると、中間筒体の下端部開口に設けられた薄肉シートが押し切り筒体によって押し切られるため、その動作のみで二剤は確実に混合される。
【０００９】
容器本体内にスライダーを配置した容器につき、その組込み時に、スライダーと容器本体の底壁との間でギャップが形成されるように配置する（組込み時の初期位置）ことで、ポンプの初動操作に際して容器内が加圧されても、その圧力上昇分だけスライダーをギャップの範囲において容器本体の底壁に向けて後退することになるので、ポンプをスムーズに作動させることができる。
【００１０】
容器本体内に袋体を配置してこの袋体に内容物を収納するデラミタイプの容器について、は、その組込み時に、該袋体の容積の増大を可能とする拡張代を残しておくこと、すなわち、内容物を所定量充填した状態においてもさらに該袋体を膨らませることができる余裕をもたせておくことで、ポンプの初動操作に際して容器内が加圧されても、その圧力上昇分だけ袋体の膨らむ（増容）にとりなり、これにより圧力上昇に伴う反動はなくなりポンプの作動がスムーズになる。
【発明を実施するための最良の形態】
【００１１】
以下、図面を参照して本発明をより具体的に説明する。
図1、図2は本発明にしたがうポンプ付き二剤混合容器の実施の形態を示したものである。
【００１２】
図における１は内容物を収納する主室mを形成する容器本体である。この容器本体１は外側壁体を形成するカップ1aと、このカップ1aに配置され容器1の上端開口kを形成する筒体1bからなり（カップ1aと筒体1bとはリブr１等を使用して回り止めされており、単一部材を適用してもよい）、該筒体1bの内側にはその内壁に沿ってスライド可能で主室mの底壁を形成するすり鉢断面をなすスライダー1c（内容物が注出され主室m内の内容物の残量が減り減圧されることにより上方へ向けてスライドする）が配置される。
【００１３】
また、2は容器本体1の上端開口kにおいて回転不能に係合保持される中間筒体である。この中間筒体2はその外側壁にねじ部nを有する。
【００１４】
3はカバー体である。このカバー体3は外カバー3aと内カバー3bからなる（外カバー3aと内カバー3bはリブr２等により回り止めされており、単一部材からなるものであってもよい）。内カバー3bは内筒部3b１、外筒部3b２、それらを上端において相互につなぐ天板部3b３からなっており、外カバー3aは、内カバー3bを取り囲む周壁3a１と、貫通孔を有し周壁3a１の上端に一体連結する天壁部3a２と、この天壁部3a２の裏面で内カバー3bの筒体3b４の外周面に合わさる筒体3a３からなっており、該外筒部3b２はその内側壁で中間筒体2のねじ部n係合し、カバー体3あるいは容器本体1の相対的な回転により寸法Lの範囲でそれらを相互に近接、離隔する向きにスライドさせることができるようになっている。
【００１５】
4はカバー体3の天板部3b３に連結され内筒部3b１から中間筒体2にわたる領域において吊り下げ保持されたポンプである。このポンプ4は、吸引管eに連結する開口hを有するシリンダー4aと、このシリンダー4a内でスライド可能に弾性支持されその上端部域をカバー体3の貫通孔（天板部3b３に形成した隆起部3b３′の貫通孔）から突出させたステム4bと、ステム4bの内側に連結され該ステム4bとともにスライド可能なガイド4cと、このガイド4cとの間で微小なスライド代をもって配置され該ガイド4cと協働して吐出弁を構成するピストン4dと、シリンダー4aないで開口hの開閉を行なうポペット4eからなる。
【００１６】
5はカバー体3の天板部3b３の上面でポンプ4のステム4bにジョイント部材6を介してつながりその押込みと復帰動作を繰り返してポンプ4を作動させるノズルヘッドである。
【００１７】
このノズルヘッド5は、その内部に弾装されたシャットオフピン5aが配置されており、ノズルヘッド5の押込みによりジョイント部材6につながるレバー5bを揺動させ、てこの原理を利用してシャットオフピン5ａをその反発力に抗して後方へスライドさせて噴出口5cを開放する一方、ノズルヘッド5に付与した押圧力を解除（ノズルヘッド5の上昇時）することにより該シャットオフピン5aを前方にスライドさせて噴出口5cを閉じるように構成される。
【００１８】
7は中間筒体2の下端部開口2aを密封する薄肉シート（アルミシート等を使用して貼着したものが適用される）である。この薄肉シート7は中間筒体2内にポンプ4を封じ込めるとともに、ポンプ4のシリンダー4aの外側壁、中間筒体2の内壁、カバー体3の内筒部3b１とによって副室m１を形成する。
【００１９】
8は副室m１内でカバー体3の内筒部3b１に固定保持された押し切り筒体である。この押し切り筒体8はストッパーSを取り外した状態においてカバー体3あるいは容器本体1を回転させて寸法Lの範囲でそれらを相互に接近させることで図2に示す如く薄肉シート7を押し切るもので、該薄肉シート7の押し切りにより副室m１内に収納された他の内容物が主室mへ向けて落下する。さらに9はノズルヘッド5を保護するためのカバーキャップである。
【００２０】
上記の構成になる二剤混合容器のスライダー1cは、容器の組込み時（内容物の充填も含む）には、図1に示すように容器本体1の底壁との間に該スライダー1cの後退代を確保するギャップgが形成されるように配置されており、ノズルヘッド5の初動操作において容器内に存在する空気の圧縮により内圧が高まっても図2に示すようにその分だけスライダー1cがキャップgの範囲において後退し圧力上昇による反動がほとんどなくポンプ4の作動がスムーズになる。
【００２１】
図3、図4は、本発明に従うポンプ付き二剤混合容器の他の実施の形態を示した図である。
この容器は、容器本体1の内側に配置した内カップ1cには該内カップ1cの内壁から剥離可能な袋体10が設けられており、該袋体10は内容物が減るにしたがって縮減しその容積を減少（減容）させることができるデラミタイプの容器になっている（内カップ1cには図示はしないが袋体10と内カップ1cの間に空気を導入する開口が設けられる）。
【００２２】
この容器は、中間筒体2の下端部開口2aとポンプ4のシリンダー4aの外側壁との間に薄肉シート7を配置して該薄肉シート7、中間筒体2の内壁、カバー体3の内筒部3b１によって副室m１を形成したものであって、上掲図1、2に示したものと同様の操作で薄肉シート7を押し切り筒体8によって押し切ることで副室m１  に収納した他の内容物を主室mに落下させて簡単に二剤を混合する。
【００２３】
袋体10は内容物を収納した容器の組込み初期状態においても該袋体10の容積が増大できる拡張代（内容物を所定量収納した状態においてもさらに袋体10を膨らませることができる余裕代をいう）を有しているため、二剤を混合したのちのノズルヘッド5の初動操作において容器内に存在する空気の圧縮により圧力が高まってもその分だけ袋体10が拡張し圧力上昇による反動がほとんどなくポンプ4の作動がスムーズになる。
【００２４】
ノズルヘッド5はノズル内に残存する内容物の固化を防止するため噴出口5cを確実に閉じることができるシャットオフピン5aを備えたタイプのものとして示したが、本発明は、このような構造のノズルヘッドに限定されるものではなく、従来タイプのノズルヘッドを適用できるのはいうまでもない。
【００２５】
とくに、上掲図3、4に示したような袋体10を有するデラミタイプの容器は、内容物の残量が少なくなり袋体10が縮減した場合に吸引管eの開口が閉塞されてしまい内容物の噴出が不能になるおそれがあるので、吸引管eの先端には袋体10の張り付きを防止して内容物の吸引通路を確保する枠体11を設ける。
【００２６】
図3、4において示した押し切り筒体8は図5に示すような外観形状を有するものを適用した例であるが、上掲図1、2のような傾斜した刃先を有する押し切り筒体8を適用してもよく、この点については適宜変更が可能である。
【００２７】
また、図3、4に示したところの容器は、薄肉シート7はドーナツ状の薄肉シート7を適用して副室m１を形成する場合を示したものであるが、予め円形の薄肉シート7（吸引管eを差し込むスリットを設けたものを適用することもできる）を貼着しておき、吸引管eをポンプ4のシリンダー4aに取り付ける際にスリットを通して差し込んで孔を開けるようにしてもよく、使用する薄肉シート7の形状は限定されない。
【産業上の利用可能性】
【００２８】
カバー体あるいは容器本体を回転させるだけで二剤の混合が可能で、ノズルヘッドの初動操作において従来起こっていた内圧上昇に伴う反動をなくしてポンプをスムーズに作動させることができるポンプ付き二剤混合容器が提供できる。
【図面の簡単な説明】
【００２９】
【図１】本発明にしたがうポンプ付き二剤混合容器の実施の形態を示した図である。
【図２】図1に示した容器において二剤を混合した状態を示した図である。
【図３】本発明にしたがうポンプ付き二剤混合容器の他の実施の形態を示した図である。
【図４】図２に示した容器において二剤を混合した状態を示した図である。
【図５】図２に示した容器に組み込んだ押し切り筒体の外観図である。
【符号の説明】
【００３０】
１  容器本体
1a  カップ
1b  筒体
1c  スライダー
2  中間筒体
2a  下端部開口
3  カバー体
3a  外カバー
3a１  周壁
3a２  天壁部
3a３  筒体
3b  内カバー
3b１  内筒部
3b２  外筒部
3b３  天板部
3b３′隆起部
3b４    筒体
4   ポンプ
4a  シリンダー
4b  ステム（中空ステム）
4c  ガイド（中空ガイド）
4d  ピストン
4e  ポペット
5  ノズルヘッド
5a  シャットオフピン
5b  レバー
5c  噴出口
6  ジョイント部
7  薄肉シート
8  押し切り筒体
9  カバーキャップ
10  袋体
11  枠体
m  主室
k  上端開口
n  ねじ部
e  吸引管
h  開口
m１  副室
S  ストッパー
【図１】
2008030838.tif 000003
【図２】
2008030838.tif 000004
【図３】
2008030838.tif 000005
【図４】
2008030838.tif 000006
【図５】
2008030838.tif 000007